(57)【要約】【課題】  季節や時間の移ろいを感じさせる数多くの自然音を発生することで、直感的に季節、時刻、日付等を想起させ、ユーザーが飽きにくい報知時計を提供することにある。【解決手段】   本発明の報知時計では、環境変化を環境変化検出手段１６が検出すると、その環境変化に対応する自然音データを自然音選択手段１８が記憶手段１７から読み出し、その自然音データに基づいて音発生手段１９が自然音を発生する。自然音は季節、時間帯、温度等の環境変化に対応するように細分化して記憶手段１７に記憶され、それを環境変化に応じて読み出すものとなっている。このため、環境変化に応じて細かく自然音を設定することができ、季節や時間の移ろいを感じ易い報知を行なうことができる。【選択図】  図１
2020056640.tif 000002
【特許請求の範囲】
【請求項１】
時刻情報を保有し時刻を表示する時計手段と、
環境変化を検出する環境変化検出手段と、
環境変化に対応する自然音データを記憶する記憶手段と、
前記環境変化検出手段が検出した環境変化に対応する自然音データを前記記憶手段から選択して読み出す自然音選択手段と、
該自然音選択手段が選択した自然音データに基づいて自然音を発生する音発生手段と、
を備えたことを特徴とする報知時計。
【請求項２】
前記時計手段はカレンダ情報を保有し、
前記記憶手段は少なくとも季節に関連するように分類された自然音データを記憶し、
前記環境変化検出手段は前記カレンダ情報に基づいて季節を判別し、
前記自然音選択手段は前記環境変化検出手段が判別した季節に対応する自然音データを選択する請求項１に記載の報知時計。
【請求項３】
前記時計手段はカレンダ情報を保有し、
前記記憶手段は季節及び時間帯に関連するように分類された自然音データを記憶し、
前記環境変化検出手段は前記カレンダ情報及び時刻情報に基づいて季節及び時間帯を判別し、
前記自然音選択手段は前記環境変化検出手段が判別した季節及び時間帯に対応する自然音データを選択する請求項１に記載の報知時計。
【請求項４】
前記自然音データは、動物の鳴き声、虫の鳴き声、川のせせらぎ、波の音、雨音、風の音、雷鳴、木々がそよぐ音の一つ又はそれらの組み合わせからなる請求項１乃至３の一つに記載の報知時計。
【請求項５】
前記動物の鳴き声は、複数の野鳥の鳴き声からなり、前記記憶手段は、前記自然音データを各野鳥の活動時期と活動時間に対応する季節と時刻に分類して記憶する請求項４に記載の報知時計。
【請求項６】
環境状態を検知する温湿度センサ、圧力センサ、光センサ、電磁気センサ、ＧＰＳ、加速度センサ、ジャイロセンサ、イメージセンサ、音センサ、距離センサの一つ又はそれらの組み合わせからなるセンサを備え、
前記記憶手段は、前記センサが検知する環境状態に対応する複数の自然音データを記憶し、
前記環境変化検出手段は、前記センサが検知した環境状態に基づいて環境変化を判別し、
前記自然音選択手段は、判別した環境変化に対応する自然音データを選択する請求項１に記載の報知時計。
【請求項７】
前記時計手段は、時刻を計時する計時手段と、外部操作により設定される設定時刻を記憶する設定時刻記憶手段と、前記設定時刻を検出する設定時刻検出手段とを有し、
該設定時刻検出手段が設定時刻を検出すると前記環境変化検出手段が検出した環境変化に対応する自然音データを前記自然音選択手段が選択する請求項１に記載の報知時計。
【発明の詳細な説明】
【技術分野】
【０００１】
本発明は、生物の鳴き声や川のせせらぎ等の自然音を発生する報知時計に関するものであり、特に、時計周囲の環境変化に対応した自然音を発生するものに関する。
【背景技術】
【０００２】
従来、時刻情報やカレンダ情報等に基づいて季節や時刻、日付を検出し、その季節、時刻、日付に応じて異なる音楽を再生することで報時する時計が提案されていた（例えば、特許文献１乃至３参照）。
【先行技術文献】
【特許文献】
【０００３】
【特許文献１】特許３８８５９５４号公報
【特許文献２】特開２００４−４５１６２号公報
【特許文献３】特開２００４−６１２９７号公報
【発明の概要】
【発明が解決しようとする課題】
【０００４】
しかしながら、季節や時刻、日付を想起させるような既存の楽曲（例えば、クリスマス曲等）は数が限られており、また、新規の楽曲を採用するには著作権者への許諾等の手続きが必要になり、楽曲を追加して増やすことは容易でなかった。このため、上記時計に使用する楽曲数は極めて限られており、何度も同じ曲が再生されることになり、ユーザーが飽きてしまうという問題があった。
【０００５】
また、楽曲数が少ないと、季節や時間帯等に細かく対応するように楽曲を設定することが難しいため、季節や時間の移ろいを感じさせるような報知を行なうことができないという問題もあった。
【０００６】
本発明が解決しようとする課題は、上記従来技術の問題点を解決し、季節や時間の移ろいを感じさせる数多くの自然音を発生することで、直感的に季節、時刻、日付等を想起させ、ユーザーが飽きにくい報知時計を提供することにある。
【課題を解決するための手段】
【０００７】
本発明の報知時計は、時刻情報を保有し時刻を表示する時計手段と、環境変化を検出する環境変化検出手段と、環境変化に対応する自然音データを記憶する記憶手段と、前記環境変化検出手段が検出した環境変化に対応する自然音データを前記記憶手段から選択して読み出す自然音選択手段と、該自然音選択手段が選択した自然音データに基づいて自然音を発生する音発生手段と、を備えている。この報知時計における前記時計手段はカレンダ情報を保有し、前記記憶手段は少なくとも季節に関連するように分類された自然音データを記憶し、前記環境変化検出手段は前記カレンダ情報に基づいて季節を判別し、前記自然音選択手段は前記環境変化検出手段が判別した季節に対応する自然音データを選択するものとなっている。また、この報知時計における前記時計手段はカレンダ情報を保有し、前記記憶手段は季節及び時間帯に関連するように分類された自然音データを記憶し、前記環境変化検出手段は前記カレンダ情報及び時刻情報に基づいて季節及び時間帯を判別し、前記自然音選択手段は前記環境変化検出手段が判別した季節及び時間帯に対応する自然音データを選択するものでもある。また、前記自然音データは、動物の鳴き声、虫の鳴き声、川のせせらぎ、波の音、雨音、風の音、雷鳴、木々がそよぐ音の一つ又はそれらの組み合わせからなる。また、前記動物の鳴き声は、複数の野鳥の鳴き声からなり、前記記憶手段は、前記自然音データを各野鳥の活動時期と活動時間に対応する季節と時刻に分類して記憶するものとなっている。
【０００８】
また、上記報知時計は、環境状態を検知する温湿度センサ、圧力センサ、光センサ、電磁気センサ、ＧＰＳ、加速度センサ、ジャイロセンサ、イメージセンサ、音センサ、距離センサの一つ又はそれらの組み合わせからなるセンサを備え、前記記憶手段は、前記センサが検知する環境状態に対応する複数の自然音データを記憶し、前記環境変化検出手段は、前記センサが検知した環境状態に基づいて環境変化を判別し、前記自然音選択手段は、判別した環境変化に対応する自然音データを選択するものとなっている。また、上記報知時計における前記時計手段は、時刻を計時する計時手段と、外部操作により設定される設定時刻を記憶する設定時刻記憶手段と、前記設定時刻を検出する設定時刻検出手段とを有し、該設定時刻検出手段が設定時刻を検出すると前記環境変化検出手段が検出した環境変化に対応する自然音データを前記自然音選択手段が選択するものとなっている。
【発明の効果】
【０００９】
本発明の報知時計では、環境変化を環境変化検出手段が検出すると、その環境変化に対応する自然音データを自然音選択手段が記憶手段から読み出し、その自然音データに基づいて音発生手段が自然音を発生する。このように、野鳥の鳴き声等の自然音を採用しているので、極めて多くの音源を自由に選択して採用することができ、報知音の増加や変更が容易であり、ユーザーを飽きさせることなく長期間使用することができる。
【００１０】
また、自然音が季節、時間帯、温度等の環境変化に対応するように細分化して記憶すると共に、それを環境変化に応じて読み出すものとなっているため、環境変化に応じて細かく自然音を設定することができ、季節や時間の移ろいをより感じ易い報知を行なうことができる。
【図面の簡単な説明】
【００１１】
【図１】本発明の一実施形態に係る報知時計の機能説明図である。
【図２】図１に示す報知時計の回路構成を示すブロック図である。
【図３】図１に示す記憶手段が記憶する自然音データの分類例を示す説明図である。
【図４】図１に示す報知時計の基本動作を示すフローチャートである。
【図５】図１に示す報知時計における時刻情報処理手段と環境変化検出手段の構成例を示す機能説明図である。
【図６】図５に示す時刻情報処理手段、環境変化検出手段及び自然音選択手段の動作を示すフローチャートである。
【図７】図１に示す報知時計における環境変化検出手段の他の構成例を示す機能説明図である。
【図８】図１に示す報知時計における環境変化検出手段のその他の構成例を示す機能説明図である。
【図９】図１に示す報知時計における時刻情報処理手段の構成例を示す機能説明図である。
【発明を実施するための形態】
【００１２】
本実施形態における報知時計の回路構成は、図２に示すように、ＩＣ等からなる制御回路１と、自然音を記憶するメモリ２と、時刻情報やカレンダ情報等を含んだ標準電波信号を受信する受信アンテナ３及び受信回路４からなる時刻情報入力部５と、指針等の時刻表示装置６とそれを駆動する表示装置駆動回路７からなる表示部８と、スピーカ９とそれを駆動するスピーカ駆動回路１０からなる音発生部１１と、時刻等を入力・設定したりモニタ動作を開始させるための外部操作部材１２と、時刻情報やカレンダ情報以外の環境状態を検知する温湿度センサ、圧力センサ、光センサ、電磁気センサ、ＧＰＳ、加速度センサ、ジャイロセンサ、イメージセンサ、音センサ、距離センサ等の一つ又はそれらの組み合わせからなるセンサ１３と、から構成されている。
【００１３】
また、上記報知時計の各部の機能に基づく構成は、図１に示すように、時刻情報やカレンダ情報等を保有する時計手段１５と、環境変化を検出する環境変化検出手段１６と、環境変化に応じて分類された自然音を記憶する記憶手段１７と、環境変化に対応する自然音を記憶手段１７から読み出す自然音選択手段１８と、選択された自然音を発生する音発生手段１９と、から構成されている。
【００１４】
時計手段１５は、前述した時刻情報入力部５と、表示部８と、時刻情報入力部５あるいは外部操作部材１２から入力する時刻情報やカレンダ情報等を計時・保有する時刻情報処理手段１４とから構成されている。通常、この時計手段１５により、時刻の計時と表示が行われる。
【００１５】
環境変化検出手段１６は、時計手段１５から得られる時刻情報、カレンダ情報や、センサ１３から得られる温湿度情報、明暗情報等から、季節や時間帯あるいは寒暖等の環境変化を検出するものとなっている。
【００１６】
記憶手段１７はメモリ２からなり、環境変化に応じて分類された自然音データを記憶している。この自然音は、動物の鳴き声、虫の鳴き声、川のせせらぎ、波の音、雨音、風の音、雷鳴、木々がそよぐ音等の一つ又はそれらの組み合わせからなる。また、この自然音は、環境変化に対応するように分類されて記憶されている。例えば、自然音として野鳥の鳴き声を記憶する場合、野鳥の活動時期と活動時間を季節と時間帯という環境変化に対応するものと捉え、図３に示すように、各野鳥の活動時期（季節）と活動時間（時間帯）に対応するように分類して記憶する。即ち、活動時期は春（３〜５月）、夏（６〜８月）、秋（９〜１１月）、冬（１２〜２月）に分けて分類し、活動時間は朝（６〜９時）、昼（１０〜１８時）、夜（１９〜５時）に分けて分類し、そこに各野鳥を当てはめる。このように分類すると、例えばウグイスは春の朝に分類され、フクロウは冬の夜に分類される。尚、この他、ニワトリの鳴き声、インコの喋り声等を月に１回のシークレット音源として記憶している。
【００１７】
自然音選択手段１８は、環境変化検出手段１６が季節、時間帯等の環境変化を検出すると、記憶手段１７からその環境変化に対応する自然音データを読み出すものとなっている。即ち、環境変化検出手段１６が春の朝を環境変化として検出すると、自然音選択手段１８は、図３に示すウグイス、シジュウカラ、ヒバリ、メジロの鳴き声から一つを選択して記憶手段１７から読み出す。尚、春の朝のグループに属するウグイス、シジュウカラ、ヒバリ、メジロの鳴き声から一つを選択する場合、例えば、報時毎に周期的に選択しても良いし、ランダムに選択するように設定することもできる。
【００１８】
音発生手段１９は、自然音選択手段１８が選択した自然音データに基づいて音発生駆動信号を出力する音発生制御手段２０と、その音発生駆動信号により駆動されて自然音を発生する音発生部１１とからなる。
【００１９】
上記構成からなる報知時計の動作概要を、図４に基づいて説明する。はじめに、所定の時刻（例えば標準電波信号受信時）などに動作が開始され、季節や時間帯等の環境変化があったか否か環境変化検出手段１６にて判断する（ステップＳＴ１）。ここで環境変化があった場合、自然音選択手段１８がその環境変化に対応した自然音データを記憶手段１７から選択して読み出す（ステップＳＴ２）。次に、音発生制御手段２０にて外部操作部材１２のモニタスイッチが操作されたか否か、正時になったか否か、目覚し等の設定時刻になったか否か等が順次判断され（ステップＳＴ３〜ＳＴ５）、正時等であった場合、音発生制御手段２０から音発生駆動信号が出力され、音発生部１１が自然音を発生させる（ステップＳＴ６）。
【００２０】
次に、環境変化検出手段１６の詳細な構成例と環境変化を検出する動作を図５及び図６に基づいて説明する。前述したように、記憶手段１７に野鳥の鳴き声がその活動時期と活動時間に対応して分類されて記憶されている場合、環境変化検出手段１６では季節と時間帯が検出される。そこで、この環境変化検出手段１６は季節検出手段２１と時間帯検出手段２２を備えており、それらに対してカレンダ情報と時刻情報を提供するために、時刻情報処理手段１４は計時手段２４とカレンダ情報入手手段２５を備えている。また、この実施形態では、環境変化検出手段１６には月に１回のシークレット音の発生時期を検出するシークレット検出手段２３も設けられている。
【００２１】
はじめに、シークレット音発生でない通常の環境変化の検出の場合には、カレンダ情報に基づいて季節検出手段２１が春、夏、秋であるか否かを順次判断し、何れでもなければ冬と判断する（ステップＳＴ１４〜ＳＴ１６）。次に、時間帯検出手段２２が計時手段２４からの時刻情報に基づいて時間帯から朝、昼であるか否かを順次判断し、何れでもなければ夜と判断する（ステップＳＴ１７，ＳＴ１８）。このように季節検出手段２１と時間帯検出手段２２が季節と時間帯を判断すると、自然音選択手段１８は記憶手段１７における春、夏、秋、冬それぞれの自然音（野鳥の鳴き声）のグループを選択すると共にその各グループにおける朝、昼、夜それぞれの自然音（野鳥の鳴き声）を選択することで、季節と時間帯に対応した野鳥の鳴き声の自然音データを選択して読み出し（ステップＳＴ１９〜ＳＴ２５）、音発生手段１９から季節及び時間帯に合った野鳥の鳴き声からなる自然音を発生させる（ステップＳＴ１３）。
【００２２】
一方、シークレット音発生の場合には、シークレット検出手段２３がカレンダ情報入手手段２５からのカレンダ情報に基づいて月１回等のシークレット音発生か否か判断し（ステップＳＴ１１）、シークレット音発生と判断すると、自然音選択手段１８がニワトリの鳴き声等のシークレット音源データを記憶手段１７から読み出し、音発生手段１９から自然音を発生させる（ステップＳＴ１３）。
【００２３】
上記環境変化検出手段１６ではカレンダ情報と時刻情報に基づいて季節と時間帯を判断して検出しているが、図７及び図８に示すように、これをセンサ１３が検知する情報に基づいて環境変化を検出することも可能である。例えば、図７に示すように、センサ１３として温度センサを用いた場合、環境変化検出手段１６にセンサ１３からの信号を入力するセンサ情報読取手段２６と温度変化による寒暖を判断する寒暖検出手段２７を設け、センサ１３からの温度情報により寒暖を判断して、寒い場合と暖かい場合を検出し、予め記憶手段１７に記憶させた寒い地域に生息する野鳥の鳴き声と暖かい地域に生息する野鳥の鳴き声を温度変化に対応して自然音選択手段１８が選択して読み出す。これにより、気温変化に応じて気温に対応する野鳥の鳴き声からなる自然音が発生されることになる。また、温度変化を検出する場合、温度が上がったときだけ雛鳥の鳴き声に変えることも可能である。
【００２４】
また、図８に示すように、センサ１３として光センサを用いた場合、環境変化検出手段１６にセンサ情報読取手段２８と時計周囲の明暗を判断する明暗検出手段２９を設け、センサ１３からの情報により明暗を判断することで、例えば前日の消灯が午前０時よりも遅かった場合に、予め記憶手段１７に夜行性の動物の鳴き声を消灯の時刻に対応して自然音選択手段１８が選択して読み出すことで翌日の報時の際に発生させることもできる。また、明暗を検出する場合、暗くなったときに、発生する自然音の音量を下げること等も可能となる。
【００２５】
また、ＧＰＳ等からなるセンサ１３により位置情報を取得する場合、時計の設置位置の変化、例えば北側から南側へ移動させた場合、その位置変化に応じて南方に生息する野鳥の音声を発生させること等も可能である。
【００２６】
また、目覚し時計として設定時刻に選択された自然音を発生する場合には、図９に示すように、時刻情報処理手段１４に外部操作により入力された設定時刻を記憶する設定時刻記憶手段３０を設け、更に現在時刻と設定時刻を比較して設定時刻の到来を検出する設定時刻検出手段３１を設けることで、目覚し報知音として自然音を発生させることができる。
【００２７】
尚、時刻情報やカレンダ情報等の初期設定は、外部操作や標準電波信号の受信により行うだけでなく、ブルートゥース（登録商標）によってパソコン、携帯電話等から情報を得ることも可能である。
【符号の説明】
【００２８】
１    制御回路
２    メモリ
３    受信アンテナ
４    受信回路
５    時刻情報入力部
６    時刻表示装置
７    表示装置駆動回路
８    表示部
９    スピーカ
１０  スピーカ駆動回路
１１  音発生部
１２  外部操作部材
１３  センサ
１４  時刻情報処理手段
１５  時計手段
１６  環境変化検出手段
１７  記憶手段
１８  自然音選択手段
１９  音発生手段
２０  音発生制御手段
２１  季節検出手段
２２  時間帯検出手段
２３  シークレット検出手段
２４  計時手段
２５  カレンダ情報入手手段
２６，２８  センサ情報読取手段
２７  寒暖検出手段
２９  明暗検出手段
３０  設定時刻記憶手段
３１  設定時刻検出手段
【図１】
2020056640.tif 000003
【図２】
2020056640.tif 000004
【図３】
2020056640.tif 000005
【図４】
2020056640.tif 000006
【図５】
2020056640.tif 000007
【図６】
2020056640.tif 000008
【図７】
2020056640.tif 000009
【図８】
2020056640.tif 000010
【図９】
2020056640.tif 000011